(57)【要約】【課題】フレキシブル表示パネルのフレキシブル特性に最適化したイメージを表示する表示装置、表示装置のキャリブレーション方法、および表示装置の表示方法を提供する。【解決手段】表示装置は、それぞれが互いに異なる色濃度を有し、一方向に配置された複数のサブパターンを有する認識パターンを含むフレキシブル（ｆｌｅｘｉｂｌｅ）表示パネル、前記フレキシブル表示パネルの表示面積が可変的に露出するように、前記フレキシブル表示パネルが前記一方向に沿って内部に出入りするハウジング、および前記認識パターンと対応して前記ハウジングに位置し、前記認識パターンを認識して前記フレキシブル表示パネルの表示面積をセンシングするフォトセンサを含む。【選択図】図１
2013242531.tif 000002
【特許請求の範囲】
【請求項１】
それぞれが互いに異なる色濃度を有し、一方向に配置された複数のサブパターンを有する認識パターンを含むフレキシブル（ｆｌｅｘｉｂｌｅ）表示パネルと、
前記フレキシブル表示パネルの表示面積が可変的に露出するように、前記フレキシブル表示パネルが前記一方向に沿って内部に出入りするハウジングと、
前記認識パターンと対応して前記ハウジングに位置し、前記認識パターンを認識して前記フレキシブル表示パネルの表示面積をセンシングするフォトセンサを含む、表示装置。
【請求項２】
前記フォトセンサおよび前記フレキシブル表示パネルと連結しており、前記フォトセンサがセンシングした前記フレキシブル表示パネルの表示面積に対応するイメージ（ｉｍａｇｅ）を前記フレキシブル表示パネルに表示する制御部をさらに含む、請求項１に記載の表示装置。
【請求項３】
前記制御部は、前記複数のサブパターンそれぞれに対応し、可変的に露出する前記フレキシブル表示パネルの各表示面積に対応する値を格納する格納部を含む、請求項２に記載の表示装置。
【請求項４】
前記フレキシブル表示パネルは、前記イメージを表示する表示領域および前記表示領域と隣接する非表示領域をさらに含み、
前記認識パターンは前記非表示領域に位置する、請求項２に記載の表示装置。
【請求項５】
前記認識パターンは光反射性であり、
前記フォトセンサは、互いに隣接して配置される第１発光部および第１受光部を含む、請求項２に記載の表示装置。
【請求項６】
前記認識パターンは光透過性であり、
前記フォトセンサは、前記認識パターンを間において互いに対向して配置される第２発光部および第２受光部を含む、請求項２に記載の表示装置。
【請求項７】
前記認識パターンは、無彩色または有彩色を有する、請求項２に記載の表示装置。
【請求項８】
前記複数のサブパターンそれぞれは、互いに異なる有彩色を有する、請求項２に記載の表示装置。
【請求項９】
前記ハウジングは、
前記ハウジング内部に位置して前記フレキシブル表示パネルが巻かれるロール部を含む、請求項１〜８のうちのいずれか一項に記載の表示装置。
【請求項１０】
前記ハウジングは、
前記フォトセンサを囲む暗室（ｄａｒｋｒｏｏｍ）を含む、請求項１〜８のうちのいずれか一項に記載の表示装置。
【請求項１１】
請求項３に記載の表示装置を提供する段階と、
前記複数のサブパターンそれぞれに応じて前記フォトセンサがセンシングした互いに異なる複数のセンサ値を感知する段階と、
前記互いに異なる複数のセンサ値それぞれに対応して可変的に露出する前記フレキシブル表示パネルの各表示面積に対応する互いに異なる複数の面積値を前記格納部に格納する段階と、
を含む、表示装置のキャリブレーション方法。
【請求項１２】
請求項１１に記載の表示装置のキャリブレーション方法を実行する段階、
前記フォトセンサが前記複数のサブパターンのうちの１つのサブパターンをセンシングし、前記一サブパターンに対応する前記センサ値を認知する段階、
前記センサ値に対応する前記面積値を前記格納部からローディング（ｌｏａｄｉｎｇ）する段階、および
前記面積値に対応する前記フレキシブル表示パネルの表示面積に対応するイメージ（ｉｍａｇｅ）を前記フレキシブル表示パネルに表示する段階、
を含む、表示装置の表示方法。
【発明の詳細な説明】
【技術分野】
【０００１】
本発明は、表示装置、表示装置のキャリブレーション方法、および表示装置の表示方法に関し、より詳細には、フレキシブル（ｆｌｅｘｉｂｌｅ）表示パネルを含む表示装置、表示装置のキャリブレーション方法、および表示装置の表示方法に関する。
【背景技術】
【０００２】
表示装置はイメージを表示する装置であって、最近ではフレキシブル表示装置（ｆｌｅｘｉｂｌｅ  ｄｉｓｐｌａｙ  ｄｅｖｉｃｅ）が注目を集めている。
【０００３】
従来のフレキシブル表示装置は、イメージ（ｉｍａｇｅ）を表示するフレキシブル表示パネルを含む装置であって、フレキシブル表示パネルが柔軟に変形することによってフレキシブル表示パネルを折り畳んだりロール（ｒｏｌｌ）に巻いたりすることにより、全体的なフレキシブル表示装置の収納性を向上させて携帯することができた。
【発明の概要】
【発明が解決しようとする課題】
【０００４】
本発明の一実施形態は、フレキシブル表示パネルのフレキシブル特性に最適化したイメージを表示する表示装置、表示装置のキャリブレーション方法、および表示装置の表示方法を提供することを目的とする。
【課題を解決するための手段】
【０００５】
上述した技術的課題を達成するために、本発明の第１側面は、それぞれが互いに異なる色濃度を有し、一方向に配置された複数のサブパターンを有する認識パターンを含むフレキシブル（ｆｌｅｘｉｂｌｅ）表示パネル、前記フレキシブル表示パネルの表示面積が可変的に露出するように、前記フレキシブル表示パネルが前記一方向に沿って内部に出入りするハウジング、および前記認識パターンと対応して前記ハウジングに位置し、前記認識パターンを認識して前記フレキシブル表示パネルの表示面積をセンシングするフォトセンサを含む表示装置を提供する。
【０００６】
前記フォトセンサおよび前記フレキシブル表示パネルと連結しており、前記フォトセンサがセンシングした前記フレキシブル表示パネルの表示面積に対応するイメージ（ｉｍａｇｅ）を前記フレキシブル表示パネルに表示する制御部をさらに含んでもよい。
【０００７】
前記制御部は、前記複数のサブパターンそれぞれに対応して可変的に露出する前記フレキシブル表示パネルの各表示面積に対応する値を格納してもよい。
【０００８】
前記フレキシブル表示パネルは、前記イメージを表示する表示領域および前記表示領域と隣接する非表示領域をさらに含み、前記認識パターンは前記非表示領域に位置してもよい。
【０００９】
前記認識パターンは光反射性であり、前記フォトセンサは、互いに隣接して配置される第１発光部および第１受光部を含んでもよい。
【００１０】
前記認識パターンは光透過性であり、前記フォトセンサは、前記認識パターンを間において互いに対向して配置される第２発光部および第２受光部を含んでもよい。
【００１１】
前記認識パターンは、無彩色または有彩色を有してもよい。
【００１２】
前記複数のサブパターンそれぞれは、互いに異なる有彩色を有してもよい。
【００１３】
前記ハウジングは、前記ハウジング内部に位置して前記フレキシブル表示パネルが巻かれるロール部を含んでもよい。
【００１４】
前記ハウジングは、前記フォトセンサを囲む暗室（ｄａｒｋｒｏｏｍ）を含んでもよい。
【００１５】
また、本発明の第２側面は、前記表示装置を提供する段階、前記複数のサブパターンそれぞれに応じて前記フォトセンサがセンシングした互いに異なる複数のセンサ値を感知する段階、および前記互いに異なる複数のセンサ値それぞれに対応して可変的に露出する前記フレキシブル表示パネルの各表示面積に対応する互いに異なる複数の面積値を前記格納部に格納する段階を含む表示装置のキャリブレーション方法を提供する。
【００１６】
また、本発明の第３側面は、前記表示装置のキャリブレーション方法を実行する段階、前記フォトセンサが前記複数のサブパターンのうちの１つのサブパターンをセンシングし、前記一サブパターンに対応する前記センサ値を認知する段階、前記センサ値に対応する前記面積値を前記格納部からローディング（ｌｏａｄｉｎｇ）する段階、および前記面積値に対応する前記フレキシブル表示パネルの表示面積に対応するイメージ（ｉｍａｇｅ）を前記フレキシブル表示パネルに表示する段階を含む表示装置の表示方法を提供する。
【発明の効果】
【００１７】
上述した本発明の解決手段の一実施形態のうちの１つによれば、フレキシブル表示パネルのフレキシブル特性に最適化したイメージを表示する表示装置、表示装置のキャリブレーション方法、および表示装置の表示方法が提供される。
【図面の簡単な説明】
【００１８】
【図１】本発明の第１実施形態に係る表示装置を示す図である。
【図２】本発明の第１実施形態に係る表示装置のフレキシブル表示パネルを示す図である。
【図３】本発明の第１実施形態に係る表示装置のセンシング方法を説明するための図である。
【図４】本発明の第１実施形態に係る表示装置のフレキシブル表示パネルが表示するイメージを示す図である。
【図５】本発明の第２実施形態に係る表示装置のキャリブレーション方法を示すフローチャートである。
【図６】本発明の第３実施形態に係る表示装置の表示方法を示すフローチャートである。
【図７】本発明の第４実施形態に係る表示装置を示す図である。
【図８】本発明の第４実施形態に係る表示装置のフレキシブル表示パネルを示す図である。
【図９】本発明の第５実施形態に係る表示装置のフレキシブル表示パネルを示す図である。
【発明を実施するための形態】
【００１９】
以下、添付の図面を参照しながら、本発明の多様な実施形態について、本発明が属する技術分野において通常の知識を有する者が容易に実施できるように詳しく説明する。本発明は多様に相違した形態で実現されることができ、ここで説明する実施形態に限定されることはない。
【００２０】
本発明を明確に説明するために、説明上、不必要な部分は省略し、明細書全体に渡って同一または類似する構成要素については同一する参照符号を付与する。
【００２１】
また、図面に示す各構成のサイズおよび厚さは、説明の便宜のために任意に示すものであり、本発明が必ずしも図に示すものに限定されることはない。
【００２２】
図面において、多様な層および領域を明確に表現するために厚さを拡大して示した。さらに、図面において、説明の便宜のために、一部層および領域の厚さを誇張して示した。一部分が他の部分「上に」あるとするとき、これは他の部分の「直ぐ上に」ある場合だけではなく、その中間にさらに他の部分がある場合も含む。
【００２３】
また、明細書全体において、ある部分がある構成要素を「含む」とするとき、これは特に反対となる記載がない限り、他の構成要素を除くのではなく、他の構成要素をさらに包含み得ることを意味する。さらに、明細書全体において、「〜上に」とは、対象部分の上または下に位置することを意味するものであり、必ずしも重力方向を基準として上側に位置することを意味するものではない。
【００２４】
以下、図１〜図４を参照しながら、本発明の第１実施形態に係る表示装置について説明する。
【００２５】
図１は、本発明の第１実施形態に係る表示装置を示す図である。
【００２６】
図１に示すように、本発明の第１実施形態に係る表示装置は、フレキシブル表示パネル１００、ハウジング２００、フォトセンサ３００、および制御部４００を含む。
【００２７】
フレキシブル表示パネル１００は、表示装置で処理されるイメージ（ｉｍａｇｅ）を表示する。一例として、表示装置が携帯電話機などの移動端末器である場合、通話と関連するＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）などのイメージを表示してもよい。フレキシブル表示パネル１００は、液晶（ｌｉｑｕｉｄ  ｃｒｙｓｔａｌ）または有機発光素子（ｏｒｇａｎｉｃ  ｌｉｇｈｔ  ｅｍｉｔｔｉｎｇ  ｄｉｏｄｅ）などを間において互いに対向するフレキシブルな基板またはフィルムなどを含んでもよい。フレキシブル表示パネル１００は、フレキシブル表示パネル１００を介して外部を見ることができるように、透明型または光透過型で構成されてもよい。フレキシブル表示パネル１００の前面には、タッチフィルム、タッチシート、タッチパッドなどの形態を有してタッチ（ｔｏｕｃｈ）動作を感知するタッチセンサが位置してもよい。フレキシブル表示パネル１００は制御部４００と連結しており、制御部４００から送信された信号によってイメージを表示する。フレキシブル表示パネル１００はフレキシブルな特性を有しており、ハウジング２００の内部に出入りする。フレキシブル表示パネル１００はハウジング２００に対して第１方向に出入し、ハウジング２００の内部に出入しながら表示面積が可変的に外部に露出する。
【００２８】
図２は、本発明の第１実施形態に係る表示装置のフレキシブル表示パネルを示す図である。図２の（ａ）はフォトセンサ３００と対向するフレキシブル表示パネル１００の背面（ＲＳ）を示す図であり、（ｂ）はフレキシブル表示パネル１００の前面（ＦＳ）を示す図である。
【００２９】
図２に示すように、フレキシブル表示パネル１００は、イメージを表示する表示領域（ＤＡ）、表示領域（ＤＡ）と隣接する非表示領域（ＮＤＡ）、および非表示領域（ＮＤＡ）に位置する認識パターン１１０を含む。
【００３０】
一方、本発明の第１実施形態に係る表示装置は、表示領域（ＤＡ）と非表示領域（ＮＤＡ）がフレキシブル表示パネル１００の背面（ＲＳ）に位置しているが、本発明はこれに限定されるものではなく、フレキシブル表示パネル１００の背面（ＲＳ）には表示領域（ＤＡ）が位置し、フレキシブル表示パネル１００の前面（ＦＳ）には非表示領域（ＮＤＡ）が位置してもよい。一例として、フレキシブル表示パネル１００の背面（ＲＳ）にイメージが表示されるとき、認識パターン１１０は、フレキシブル表示パネル１００の前面（ＦＳ）に位置してもよく、またはフレキシブル表示パネル１００の背面（ＲＳ）に位置してもよい。
【００３１】
また、本発明の第１実施形態に係る表示装置の認識パターン１１０は非表示領域（ＮＤＡ）に位置するが、本発明の他の実施形態に係る表示装置の認識パターン１１０は、イメージが表示される表示領域（ＤＡ）に位置してもよい。
【００３２】
認識パターン１１０は、フレキシブル表示パネル１００の前面、背面、または隣接する両基板の間に位置してもよく、フレキシブル表示パネル１００を構成する配線またはタッチセンサなどを形成するときに同時に形成されたり、追加でフレキシブル表示パネル１００の表面に形成されてもよい。認識パターン１１０は、フレキシブル表示パネル１００がハウジング２００に対して出入りする方向である第１方向に沿って配置されている。認識パターン１１０は光反射性であり、第１方向に配置された複数のサブパターン１１０ａ〜１１０ｊを含む。複数のサブパターン１１０ａ〜１１０ｊは、第１方向にそれぞれが互いに異なる色濃度を有している。具体的に、複数のサブパターン１１０ａ〜１１０ｊは無彩色または有彩色を有するが、複数のサブパターン１１０ａ〜１１０ｊが無彩色を有する場合、複数のサブパターン１１０ａ〜１１０ｊのうちの一端部サブパターン１１０ａから他端部サブパターン１１０ｊまで、漸進的に複数のサブパターン１１０ａ〜１１０ｊそれぞれは互いに異なる色濃度を有し、黒色から白色または白色から黒色までの色を有する。
【００３３】
一方、複数のサブパターン１１０ａ〜１１０ｊが赤色、緑色、黄色、または青色などの有彩色を有する場合、複数のサブパターン１１０ａ〜１１０ｊのうちの一端部サブパターン１１０ａから他端部サブパターン１１０ｊまで、漸進的に複数のサブパターン１１０ａ〜１１０ｊそれぞれは互いに異なる色濃度を有し、暗い有彩色から明るい有彩色または明るい有彩色から暗い有彩色までの色を有してもよい。
【００３４】
再び図１を参照すれば、ハウジング２００は、フレキシブル表示パネル１００の一端を支持し、フレキシブル表示パネル１００の表示面積が可変的に露出するようにフレキシブル表示パネル１００を内部に出入させる。ハウジング２００は、フレキシブル表示パネル１００が巻かれるロール部２１０を含む。ロール部２１０はハウジング２００の内部に位置しており、フレキシブル表示パネル１００の一端を支持している。ロール部２１０は、フレキシブル表示パネル１００を巻くことにより、フレキシブル表示パネル１００がハウジング２００に対して第１方向に出入りするようにする。ロール部２１０は、受動的または能動的に自体回転してもよいが、ロール部２１０が自体回転することにより、フレキシブル表示パネル１００はハウジング２００に対して第１方向に出入が可能になる。ハウジング２００は、フォトセンサ３００を囲む暗室２２０（ｄａｒｋｒｏｏｍ）を含む。暗室２２０にフォトセンサ３００が位置することにより、意図しない外光がフォトセンサ３００に照射することを防ぐ。これにより、外光によるフォトセンサ３００のセンシングエラーが防がれるため、フォトセンサ３００のセンシング信頼性が向上する。
【００３５】
ハウジング２００の暗室２２０内部には、フォトセンサ３００が位置している。
【００３６】
図３は、本発明の第１実施形態に係る表示装置のセンシング方法を説明するための図である。
【００３７】
図３に示すように、フォトセンサ３００は、フレキシブル表示パネル１００の非表示領域（ＮＤＡ）に位置する認識パターン１１０と対応し、ハウジング２００の暗室２２０内部に位置している。フォトセンサ３００は認識パターン１１０を認識することにより、ハウジング２００に対して出入りして外部に露出したフレキシブル表示パネル１００の表示面積をセンシングする。
【００３８】
フォトセンサ３００は、互いに隣接して配置される第１発光部３１０および第１受光部３２０を含む。
【００３９】
第１発光部３１０は認識パターン１１０方向に光を発光し、第１受光部３２０は第１発光部３１０から発光して認識パターン１１０によって反射する光を受光する。
【００４０】
フォトセンサ３００は、第１発光部３１０および第１受光部３２０を利用して認識パターン１１０を認識することにより、ハウジング２００に対して出入りして外部に露出したフレキシブル表示パネル１００の表示面積をセンシングする。具体的に、フレキシブル表示パネル１００がハウジング２００に対して第１方向に出入りするとき、第１発光部３１０から発光した光が認識パターン１１０に反射して第１受光部３２０に受信されることにより、第１受光部３２０は受信した光の強度を検出する。第１受光部３２０に受信された光は回路的にそれに対応する電圧値に変換され、この電圧値はデジタル値に換算されて認識される。
【００４１】
一例として、複数のサブパターン１１０ａ〜１１０ｊのうちの一端部サブパターン１１０ａが純粋な黒色を有し、この黒色の一端部サブパターン１１０ａが第１発光部３１０から発光した光を１００％吸収することによって第１受光部３２０に受信される光がないとするとき、回路的にフォトセンサ３００は０Ｖの電圧を認識する。また、複数のサブパターン１１０ａ〜１１０ｊのうちの他端部サブパターン１１０ｊが白色を有し、この白色の他端部サブパターン１１０ｊが第１発光部３１０から発光した光を１００％反射することによって第１受光部３２０に１００％の光が受信されるため、回路的に第１受光部３２０のセンサ最大制限値が３．０Ｖ電圧であれば、回路的にフォトセンサ３００は３．０Ｖ電圧を認識する。したがって、０Ｖと３．０Ｖの間の電圧が存在するため、複数のサブパターン１１０ａ〜１１０ｊのうちの一サブパターン１１０ｄの無彩色濃度が７０％程度であり、３０％光を反射すれば第１受光部３２０は３０％に該当する光を受信することにより、フォトセンサ３００はそれに対応する０．９Ｖ程度の電圧を認識する。
【００４２】
すなわち、フォトセンサ３００は、単純に認識パターン１１０を黒色および白色の２分法的に認識するのではなく、それぞれが互いに異なる色濃度を有し、第１方向に配列した複数のサブパターン１１０ａ〜１１０ｊそれぞれの互いに異なる光反射量を認識し、複数のサブパターン１１０ａ〜１１０ｊのうちの一サブパターンによる光反射量が認識されるとき、露出したフレキシブル表示パネル１００の表示面積をセンシングする。
【００４３】
フォトセンサ３００の第１受光部３２０の動作範囲が上述した一例のように０Ｖ〜３．０Ｖであり、複数のサブパターン１１０ａ〜１１０ｊが１０個で構成されれば、複数のサブパターン１１０ａ〜１１０ｊそれぞれの色濃度を調節し、各サブパターン１つあたり０．３Ｖ電圧となるように設計が可能である。一方、第１受光部３２０の認知感度能力が０．１Ｖ電圧であり、第１受光部３２０の動作範囲が０Ｖ〜３．０Ｖ電圧であれば、構成させるサブパターンの個数は３０個で設計が可能であるが、これに限定されるものではなく、第１受光部３２０の認知感度能力の電圧値を設定して第１受光部３２０の動作範囲の電圧値を設定することにより、構成させるサブパターンの個数を所望する個数だけ設計が可能である。
【００４４】
このように、フォトセンサ３００は、フレキシブル表示パネル１００がハウジング２００に対して第１方向に出入りするとき、複数のサブパターン１１０ａ〜１１０ｊそれぞれに対応して可変的に露出する表示面積をセンシングする。フォトセンサ３００がセンシングしたフレキシブル表示パネル１００の露出した表示面積に関する信号は、制御部４００に送信される。
【００４５】
図４は、本発明の第１実施形態に係る表示装置のフレキシブル表示パネルが表示するイメージを示す図である。
【００４６】
図４に示すように、制御部４００は、フォトセンサ３００およびフレキシブル表示パネル１００と連結しており、フォトセンサ３００がセンシングしたフレキシブル表示パネル１００の露出した表示面積に対応するイメージをフレキシブル表示パネル１００に表示する。制御部４００は、複数のサブパターン１１０ａ〜１１０ｊそれぞれに対応して可変的に露出するフレキシブル表示パネル１００の各表示面積に対応する値を格納する格納部４１０を含む。格納部４１０は、揮発性または非揮発性格納媒体であってもよい。
【００４７】
具体的に、図４の（ａ）に示すように、フレキシブル表示パネル１００がハウジング２００に対して第１方向に第１出入りして第１表示面積（ＤＳ１）が露出されれば、フォトセンサ３００は複数のサブパターン１１０ａ〜１１０ｊのうちで第１表示面積（ＤＳ１）が露出したときのサブパターンを認識して第１表示面積（ＤＳ１）をセンシングし、第１表示面積（ＤＳ１）と関連する信号を制御部４００に送信するが、制御部４００はこの信号を受信し、フレキシブル表示パネル１００の第１表示面積（ＤＳ１）に対応する第１サイズのイメージを表示する。このとき、制御部４００は、第１表示面積（ＤＳ１）が露出したときのサブパターンに対応して露出したフレキシブル表示パネル１００の第１表示面積（ＤＳ１）に対応する値を格納部４１０に格納したり、格納部４１０に既に格納されていたこの値をローディング（ｌｏａｄｉｎｇ）してもよい。
【００４８】
また、図４の（ｂ）に示すように、フレキシブル表示パネル１００がハウジング２００に対して第１方向に第２出入りして第１表示面積（ＤＳ１）に比べて大きい第２表示面積（ＤＳ２）が露出されれば、フォトセンサ３００は複数のサブパターン１１０ａ〜１１０ｊのうちで第２表示面積（ＤＳ２）が露出したときのサブパターンを認識して第２表示面積（ＤＳ２）をセンシングし、第２表示面積（ＤＳ２）と関連する信号を制御部４００に送信するが、制御部４００はこの信号を受信し、フレキシブル表示パネル１００の第２表示面積（ＤＳ）２に対応する第２サイズのイメージを表示する。このとき、制御部４００は、第２表示面積（ＤＳ２）が露出したときのサブパターンに対応して露出したフレキシブル表示パネル１００の第２表示面積（ＤＳ２）に対応する値を格納部４１０に格納したり、格納部４１０に既に格納されていたこの値をローディング（ｌｏａｄｉｎｇ）してもよい。
【００４９】
さらに、図４の（ｃ）に示すように、フレキシブル表示パネル１００がハウジング２００に対して第１方向に第３出入りして第２表示面積（ＤＳ２）に比べて大きい第３表示面積（ＤＳ３）が露出されれば、フォトセンサ３００は複数のサブパターン１１０ａ〜１１０ｊのうちで第３表示面積（ＤＳ３）が露出したときのサブパターンを認識して第３表示面積（ＤＳ３）をセンシングし、第３表示面積（ＤＳ３）に関する信号を制御部４００に送信するが、制御部４００はこの信号を受信し、フレキシブル表示パネル１００の第３表示面積（ＤＳ３）に対応する第３サイズのイメージを表示する。このとき、制御部４００は、第３表示面積（ＤＳ３）が露出したときのサブパターンに対応して露出したフレキシブル表示パネル１００の第３表示面積（ＤＳ３）に対応する値を格納部４１０に格納したり、格納部４１０に既に格納されていたこの値をローディング（ｌｏａｄｉｎｇ）してもよい。
【００５０】
特に、ハウジング２００に対してフレキシブル表示パネル１００が第１方向に出入りするとき、フォトセンサ３００がフレキシブル表示パネル１００に形成された複数のサブパターン１１０ａ〜１１０ｊ全体に対する順序を認識するのではなく、フォトセンサ３００が複数のサブパターン１１０ａ〜１１０ｊそれぞれに対応するフレキシブル表示パネル１００の表示面積それぞれをセンシングし、複数のサブパターン１１０ａ〜１１０ｊそれぞれに対応するフレキシブル表示パネル１００の露出した表示面積それぞれを直接に認知するため、表示装置はいかなる状況および条件でも、表示装置に電源が供給されてさえいれば、ハウジング２００に対するフレキシブル表示パネル１００の出入り過程のモニタリング（ｍｏｎｉｔｏｒｉｎｇ）することなく現在露出した表示面積に対応するサブパターンを認知し、その露出した表示面積に対応するサイズのイメージを表示する。
【００５１】
以上のように、本発明の第１実施形態に係る表示装置は、フォトセンサ３００がフレキシブル表示パネル１００に形成された認識パターン１１０を認識してハウジング２００に対して出入して外部に露出したフレキシブル表示パネル１００の表示面積をセンシングし、この表示面積に対応するイメージがフレキシブル表示パネル１００に表示されることにより、フレキシブル表示パネル１００のフレキシブル特性に最適化したイメージを表示する表示装置が提供される。
【００５２】
特に、本発明の第１実施形態に係る表示装置は、ハウジング２００内部に位置するフォトセンサ３００を利用してフレキシブル表示パネル１００に形成された認識パターン１１０を認識してハウジング２００の内部に対して出入して外部に露出したフレキシブル表示パネル１００の表示面積をセンシングするため、フレキシブル表示パネル１００の露出した板面がハウジング２００から排出されて非線形的に曲がったとしても、正確にハウジング２００から排出されて外部に露出したフレキシブル表示パネル１００の表示面積をセンシングすることができる。
【００５３】
すなわち、本発明の第１実施形態に係る表示装置は、フレキシブル表示パネル１００がハウジング２００から排出された後の全体面積をセンシングするのではなく、フレキシブル表示パネル１００がハウジング２００に対して出入りするとき、フォトセンサ３００がリアルタイムでフレキシブル表示パネル１００の認識パターン１１０を認識して外部に露出したフレキシブル表示パネル１００の表示面積をセンシングするため、フレキシブル表示パネル１００の露出した板面が柔軟に動いて非線形的に曲がったとしても、外部に露出した正確なフレキシブル表示パネル１００の表示面積をセンシングし、この表示面積に対応するサイズのイメージを表示することができる。
【００５４】
さらに、本発明の第１実施形態に係る表示装置は、ロール部２１０の回転数をカウントして間接的にフレキシブル表示パネル１００の表示面積をセンシングしたり、赤外線または超音波などの距離測定手段を利用して広がった後のフレキシブル表示パネル１００の表示面積をセンシングするのではなく、フレキシブル表示パネル１００のフレキシブルな特性を考慮した上で、ハウジング２００に対してフレキシブル表示パネル１００が出入するとき、フレキシブル表示パネル１００に形成された認識パターン１１０をリアルタイムで認識してフレキシブル表示パネル１００の露出した表示面積をセンシングするため、フレキシブル表示パネル１００の可変的な表示面積に対応する正確なサイズのイメージが可変的にフレキシブル表示パネル１００に表示される。これは、表示装置に対するユーザの全体的な満足度を向上させる要因として作用する。
【００５５】
また、本発明の第１実施形態に係る表示装置は、ハウジング２００に対してフレキシブル表示パネル１００が第１方向に出入りするとき、フォトセンサ３００がフレキシブル表示パネル１００に形成された複数のサブパターン１１０ａ〜１１０ｊ全体に対する順序を認識するのではなく、フォトセンサ３００が複数のサブパターン１１０ａ〜１１０ｊそれぞれに対応するフレキシブル表示パネル１００の表示面積それぞれをセンシングして複数のサブパターン１１０ａ〜１１０ｊそれぞれに対応するフレキシブル表示パネル１００の露出した表示面積それぞれを直接に認知するため、表示装置はいかなる状況および条件でも、表示装置に電源が供給されていさえすれば、ハウジング２００に対するフレキシブル表示パネル１００の出入り過程のモニタリング（ｍｏｎｉｔｏｒｉｎｇ）することなく現在露出した表示面積に対応するサブパターンを認知し、その露出した表示面積に対応するサイズのイメージを表示する。すなわち、本発明の第１実施形態に係る表示装置は、フォトセンサ３００が互いに異なる色濃度を有する複数のサブパターン１１０ａ〜１１０ｊそれぞれを独立的に区分して認知することにより、電源が突然切れた後に点灯したり、フレキシブルディスプレイパネル１００を広げた後に一定部分が再び巻き取られるなどのイベントが発生したとしても、追加の構成なく露出した表示面積に対応するサイズのイメージを表示する。
【００５６】
以下、図５を参照しながら、本発明の第２実施形態に係る表示装置のキャリブレーション（ｃａｌｉｂｒａｔｉｏｎ）方法について説明する。本発明の第２実施形態に係る表示装置のキャリブレーション方法は、上述した本発明の第１実施形態に係る表示装置を利用して実行され、キャリブレーション方法自体は制御部４００が実行してもよい。
【００５７】
図５は、本発明の第２実施形態に係る表示装置のキャリブレーション方法を示すフローチャートである。
【００５８】
図５に示すように、先ず、フォトセンサ３００がセンシングした互いに異なる複数のセンサ値を感知する（Ｓ１１０）。
【００５９】
具体的には、ハウジング２００に対してフレキシブル表示パネル１００が第１方向に沿って出入りするとき、複数のサブパターン１１０ａ〜１１０ｊそれぞれに応じてフォトセンサ３００がセンシングした光の量（電圧値）を抽出し、互いに異なる複数のセンサ値を感知する。
【００６０】
次に、互いに異なる複数のセンサ値に対応して互いに異なる複数の面積値を格納部４１０に格納する（Ｓ１２０）。
【００６１】
具体的には、複数のサブパターン１１０ａ〜１１０ｊそれぞれに対応する互いに異なる複数のセンサ値それぞれを可変的に露出するフレキシブル表示パネル１００の各表示面積に対応する互いに異なる複数の面積値にマッチング（ｍａｔｃｈｉｎｇ）し、この面積値を格納部４１０に格納する。一例として、複数のサブパターン１１０ａ〜１１０ｊの個数が１０個であれば、それぞれ異なるフレキシブル表示パネル１００の複数の表示面積のサイズも１０個となり、最初のサブパターンを認識し、このセンサ値を設定された表示面積に対応する面積値１番にマッチングする。このような方式によって１０番目のサブパターンを認識したセンサ値は、設定された表示面積に対応する面積値１０番にマッチングし、１０個のサブパターンそれぞれに該当する１０個の表示面積に対応する１０個の面積値をすべて格納部４１０に格納する。一方、ハウジング２００のロール部２１０がモータによって駆動すれば、このようなキャリブレーション方法がモータの回転によるロール部２１０の回転によって自動的に実行されてもよい。
【００６２】
以下、図６を参照しながら、本発明の第３実施形態に係る表示装置の表示方法について説明する。本発明の第３実施形態に係る表示装置の表示方法は、上述した本発明の第１実施形態に係る表示装置を利用して実行してもよい。
【００６３】
図６は、本発明の第３実施形態に係る表示装置の表示方法を示すフローチャートである。
【００６４】
図６に示すように、先ず、上述した本発明の第２実施形態に係る表示装置のキャリブレーション方法を実行する（Ｓ２１０）。
【００６５】
次に、フォトセンサ３００が複数のサブパターン１１０ａ〜１１０ｊのうちの１つのサブパターンをセンシングし、１つのサブパターンに対応するセンサ値を認知する（Ｓ２２０）。
【００６６】
次に、センサ値に対応する面積値を格納部４１０からローディング（ｌｏａｄｉｎｇ）とする（Ｓ２３０）。
【００６７】
次に、面積値に対応するフレキシブル表示パネル１００の表示面積に対応するイメージ（ｉｍａｇｅ）をフレキシブル表示パネル１００に表示する（Ｓ２４０）。
【００６８】
具体的に、上述した表示装置のキャリブレーション方法の後、ハウジング２００に対して第１方向にフレキシブル表示パネル１００が出入りすれば、複数のサブパターン１１０ａ〜１１０ｊそれぞれをフォトセンサ３００がセンシングしてそれぞれのセンシング値が認知され、それぞれのセンシング値に対応する面積値が格納部４１０からローディングされるが、これによって面積値に対応するフレキシブル表示パネル１００の表示面積に対応するイメージがフレキシブル表示パネル１００に表示される。
【００６９】
以下、図７および図８を参照しながら、本発明の第４実施形態に係る表示装置について説明する。
【００７０】
以下、第１実施形態と区別される特徴的な部分のみを抜粋して説明するが、説明が省略された部分は第１実施形態に係る。また、本発明の第４実施形態では、説明の便宜のために、同一する構成要素に対しては本発明の第１実施形態と同一する参照番号を使用して説明する。
【００７１】
図７は、本発明の第４実施形態に係る表示装置を示す図である。図８は、本発明の第４実施形態に係る表示装置のフレキシブル表示パネルを示す図である。図８の（ａ）はフォトセンサ３０４と対向するフレキシブル表示パネル１０４の背面（ＲＳ）を示す図であり、（ｂ）はフレキシブル表示パネル１０４の前面（ＦＳ）を示す図である。
【００７２】
図７および図８に示すように、本発明の第４実施形態に係る表示装置の表示領域（ＤＡ）と非表示領域（ＮＤＡ）は、フレキシブル表示パネル１０４の背面（ＲＳ）および前面（ＦＳ）に位置している。
【００７３】
認識パターン１１４は光透過性であり、第１方向に配置された複数のサブパターン１１４ａ〜１１４ｊを含む。複数のサブパターン１１４ａ〜１１４ｊは、第１方向にそれぞれが互いに異なる色濃度を有している。具体的に、複数のサブパターン１１４ａ〜１１４ｊは無彩色または有彩色を有するが、複数のサブパターン１１４ａ〜１１４ｊが無彩色を有する場合、複数のサブパターン１１４ａ〜１１４ｊのうちの一端部サブパターン１１４ａから他端部サブパターン１１４ｊまで、漸進的に複数のサブパターン１１４ａ〜１１４ｊそれぞれは互いに異なる色濃度を有し、黒色から白色または白色から黒色までの色を有する。
【００７４】
一方、複数のサブパターン１１４ａ〜１１４ｊが赤色、緑色、黄色、または青色などの有彩色を有する場合、複数のサブパターン１１４ａ〜１１４ｊのうちの一端部サブパターン１１４ａから他端部サブパターン１１４ｊまで、漸進的に複数のサブパターン１１４ａ〜１１４ｊそれぞれは互いに異なる色濃度を有し、暗い有彩色から明るい有彩色または明るい有彩色から暗い有彩色までの色を有してもよい。
【００７５】
ハウジング２００の暗室２２０内部には、フォトセンサ３０４が位置している。
【００７６】
フォトセンサ３０４は、認識パターン１１４を間において互いに対向して配置される第２発光部３３０および第２受光部３４０を含むフォトセンサである。
【００７７】
第２発光部３３０は認識パターン１１４方向に光を発光し、第２受光部３４０は第２発光部３３０から発光して認識パターン１１４を透過した光を受光する。
【００７８】
フォトセンサ３０４は、第２発光部３３０および第２受光部３４０を利用して認識パターン１１４を認識することにより、ハウジング２００に対して出入りして外部に露出したフレキシブル表示パネル１０４の表示面積をセンシングする。具体的に、フレキシブル表示パネル１０４がハウジング２００に対して第１方向に出入りするとき、第２発光部３３０から発光した光が認識パターン１１４を透過して第２受光部３４０に受信されることにより、第２受光部３４０が受信した光の強度を検出する。第２受光部３４０に受信された光は回路的にそれに対応する電圧値に変換され、この電圧値はデジタル値に換算されて認識される。
【００７９】
一例として、複数のサブパターン１１４ａ〜１１４ｊのうちの一端部サブパターン１１４ａが純粋な黒色を有し、この黒色の一端部サブパターン１１４ａが第２発光部３３０から発光した光を１００％吸収して第２受光部３４０に受信される光がないとき、回路的にフォトセンサ３０４は０Ｖの電圧を認識する。また、複数のサブパターン１１４ａ〜１１４ｊのうちの他端部サブパターン１１４ｊが理論的に透明であり、この透明な他端部サブパターン１１４ｊが第２発光部３３０から発光した光を１００％透過させて第２受光部３４０に１００％の光が受信されれば、回路的に第２受光部３４０のセンサ最大制限値が３．０Ｖ電圧であれば、回路的にフォトセンサ３０４は３．０Ｖ電圧を認識する。したがって、０Ｖと３．０Ｖの間の電圧が存在するため、複数のサブパターン１１４ａ〜１１４ｊのうちの１つのサブパターン１１４ｄの無彩色濃度が７０％程度であって３０％の光を透過すれば、第２受光部３４０は３０％に該当する光を受信し、フォトセンサ３０４はそれに対応する０．９Ｖ程度の電圧を認識する。
【００８０】
以上のように、本発明の第４実施形態に係る表示装置は、フォトセンサ３０４がフレキシブル表示パネル１０４に形成された認識パターン１１４を認識することにより、ハウジング２００に対して出入りして外部に露出したフレキシブル表示パネル１０４の表示面積をセンシングし、この表示面積に対応するイメージがフレキシブル表示パネル１０４に表示されるため、フレキシブル表示パネル１０４のフレキシブル特性に最適化したイメージを表示する表示装置が提供される。
【００８１】
以下、図９を参照しながら、本発明の第５実施形態に係る表示装置について説明する。
【００８２】
以下、第４実施形態と区別される特徴的な部分のみを抜粋して説明するが、説明が省略された部分は第４実施形態に係る。また、本発明の第５実施形態では、説明の便宜のために、同一する構成要素に対しては本発明の第４実施形態と同一する参照番号を使用して説明する。
【００８３】
図９は、本発明の第５実施形態に係る表示装置のフレキシブル表示パネルを示す図である。図９の（ａ）はフォトセンサ３００と対向するフレキシブル表示パネル１０５の背面（ＲＳ）を示す図であり、（ｂ）はフレキシブル表示パネル１０５の前面（ＦＳ）を示す図である。
【００８４】
図９に示すように、本発明の第５実施形態に係る表示装置の認識パターン１１５は光透過性であり、第１方向に配置された複数のサブパターン１１５ａ〜１１５ｊを含む。複数のサブパターン１１５ａ〜１１５ｊは、第１方向にそれぞれが互いに異なる色濃度を有すると同時に互いに異なる有彩色を有している。具体的に、複数のサブパターン１１５ａ〜１１５ｊそれぞれは互いに異なる有彩色を有し、複数のサブパターン１１５ａ〜１１５ｊのうちの一端部サブパターン１１５ａから他端部サブパターン１１５ｊまで、複数のサブパターン１１５ａ〜１１５ｊそれぞれは互いに異なる色濃度を有する互いに異なる有彩色を有する。一例として、複数のサブパターン１１５ａ〜１１５ｊそれぞれは、赤色、橙色、黄色、緑色、青色、または紫色などのうちから選択された１つの色を有してもよいが、これに限定されるものではなく、多様な色を有してもよい。
【００８５】
フォトセンサ３００は、認識パターン１１５を間において互いに対向して配置される第３発光部および第３受光部を含む、有彩色を認知するカラーフォトセンサである。
【００８６】
フォトセンサ３００は、第３発光部および第３受光部を利用して認識パターン１１５を認識し、ハウジング２００に対して出入りして外部に露出したフレキシブル表示パネル１０５の表示面積をセンシングする。具体的に、フレキシブル表示パネル１０５がハウジング２００に対して第１方向に出入りするとき、第３発光部から発光した光が認識パターン１１５に透過し、第３受光部は認識パターン１１５によってカラーが変換した光を受信し、受信した光のカラーを検出する。第３受光部に受信された光のカラーは回路的にそれに対応する電圧値に変換され、デジタル値に換算されて認識される。
【００８７】
以上のように、本発明の第５実施形態に係る表示装置は、フォトセンサ３００がフレキシブル表示パネル１０５に形成された認識パターン１１５を認識してハウジング２００に対して出入りして外部に露出したフレキシブル表示パネル１０５の表示面積をセンシングし、この表示面積に対応するイメージがフレキシブル表示パネル１０４に表示されることにより、フレキシブル表示パネル１０５のフレキシブル特性に最適化したイメージを表示する表示装置が提供される。
【００８８】
本発明を上述した好ましい実施形態を参照しながら説明したが、本発明はこれに限定されるものではなく、添付の特許請求の範囲の概念と範囲を逸脱しない限り、多様な修正および変形が可能であるということは、発明が属する技術分野に従事する者は簡単に理解することができるであろう。
【符号の説明】
【００８９】
１１０  ：認識パターン
１００  ：フレキシブル表示パネル
２００  ：ハウジング
３００  ：フォトセンサ
【図１】
2013242531.tif 000003
【図２】
2013242531.tif 000004
【図３】
2013242531.tif 000005
【図４】
2013242531.tif 000006
【図５】
2013242531.tif 000007
【図６】
2013242531.tif 000008
【図７】
2013242531.tif 000009
【図８】
2013242531.tif 000010
【図９】
2013242531.tif 000011